(57)【特許請求の範囲】
【請求項１】
有機ＥＬ層が形成された第１の基板と、前記第１の基板と対向する第２の基板とを備えた有機ＥＬ表示パネルを有する有機ＥＬ表示装置であって、
前記有機ＥＬ表示パネルの画面は、前記第１の基板と前記第２の基板のうちの一方の基板に形成され、
前記画面は、第１の方向の一方向に曲率を有する外側に凸または外側に凹な曲面であり、
前記一方の基板には偏光板が配置され、
前記曲面が外側に凸な時は、前記偏光板の吸収軸の方向と前記第１の方向とのなす角が±５度以内であり、
前記曲面が外側に凹な時は、前記偏光板の吸収軸の方向と前記第１の方向に対して直角な第２の方向とのなす角が±５度以内であることを特徴とする有機ＥＬ表示装置。
【請求項２】
前記一方の基板には、位相差板が配置され、
前記位相差板の延伸軸の方向は、前記偏光板の前記吸収軸の方向と一致することを特徴とする請求項１に記載の有機ＥＬ表示装置。
【請求項３】
前記位相差板はλ／４板であり、前記位相差板と前記偏光板とで円偏光板を形成することを特徴とする請求項２に記載の有機ＥＬ表示装置。
【請求項４】
前記一方の基板は第２の基板であり、
前記第１の基板には、補強板が形成されていることを特徴とする請求項１から請求項３の何れか１項に記載の有機ＥＬ表示装置。
【請求項５】
前記曲面は外側に凸であり、
前記偏光板の前記吸収軸の方向は、前記第１の方向と一致することを特徴とする請求項１から請求項４の何れか１項に記載の有機ＥＬ表示装置。
【請求項６】
前記曲面は外側に凹であり、
前記偏光板の前記吸収軸の方向は、前記第２の方向と一致することを特徴とする請求項１から請求項４の何れか１項に記載の有機ＥＬ表示装置。
【請求項７】
有機ＥＬ層が形成された第１の基板と、前記第１の基板と対向する第２の基板とを備えた有機ＥＬ表示パネルを有する有機ＥＬ表示装置であって、
前記有機ＥＬ表示パネルの画面は、前記第１の基板と前記第２の基板のうちの一方の基板に形成され、
前記画面は、第１の方向の一方向に曲率を有する外側に凸な曲面であり、
前記一方の基板には偏光板と位相差板とからなる円偏光板が配置され、
前記偏光板の吸収軸の方向と前記第１の方向とのなす角が±５度以内であり、
前記位相差板の延伸軸と前記第１の方向とのなす角が±５度以内であることを特徴とする有機ＥＬ表示装置。
【請求項８】
前記偏光板の前記吸収軸の方向は、前記第１の方向と一致することを特徴とする請求項７に記載の有機ＥＬ表示装置。
【請求項９】
前記位相差板の前記延伸軸の方向は、前記第１の方向と一致することを特徴とする請求項７又は請求項８に記載の有機ＥＬ表示装置。
【請求項１０】
前記偏光板の前記吸収軸の方向は、前記位相差板の前記延伸軸の方向と一致することを特徴とする請求項７から請求項９の何れか１項に記載の有機ＥＬ表示装置。
【請求項１１】
有機ＥＬ層が形成された第１の基板と、前記第１の基板と対向する第２の基板とを備えた有機ＥＬ表示パネルを有する有機ＥＬ表示装置であって、
前記有機ＥＬ表示パネルの画面は、前記第１の基板と前記第２の基板のうちの一方の基板に形成され、
前記画面は、第１の方向の一方向に曲率を有する外側に凹な曲面であり、
前記一方の基板には偏光板と位相差板とからなる円偏光板が配置され、
前記偏光板の吸収軸の方向と前記第１の方向に対して直角な第２の方向とのなす角が±５度以内であり、
前記位相差板の延伸軸と前記第２の方向とのなす角が±５度以内であることを特徴とする有機ＥＬ表示装置。
【請求項１２】
前記偏光板の前記吸収軸の方向は、前記第２の方向と一致することを特徴とする請求項１１に記載の有機ＥＬ表示装置。
【請求項１３】
前記位相差板の前記延伸軸の方向は、前記第２の方向と一致することを特徴とする請求項１１又は請求項１２に記載の有機ＥＬ表示装置。
【請求項１４】
前記偏光板の前記吸収軸の方向は、前記位相差板の前記延伸軸の方向と一致することを特徴とする請求項１１から請求項１３の何れか１項に記載の有機ＥＬ表示装置。
【発明の詳細な説明】
【技術分野】
【０００１】
本発明は表示装置に係り、特に表示画面が曲面となっている液晶表示装置あるいは有機ＥＬ表示装置等の薄型表示装置に関する。
【背景技術】
【０００２】
液晶表示装置は、ディスプレイ装置を薄くできること、重量が大きくならないこと等から、コンピュータ用ディスプレイ、携帯電話用端末等からＴＶ等にいたるまで、需要が拡大している。液晶表示装置はまた、画面が平面であることも特徴の一つとなっている。
【０００３】
一方、液晶表示装置は薄くすることが出来るという点から色々な場所へ設置できる可能性を有している。設置場所は平坦な面に限らず、曲面を有した場所にも設置したいという要望もある。曲面を有した設置場所としては、例えば、円柱、電車、バス等の壁面等である。一方、ディスプレイ装置自体を曲面にする必要がある装置も存在する。例えば、パチンコ、スロットマシーン遊技機、ゲームセンタに存在する各種遊技機である。このような遊技機のディスプレイに液晶表示装置を使用しようとすると、液晶表示装置を湾曲する必要がある。さらに、需要が拡大している携帯電話についても視認性を向上したいという要望から、表示部を曲面にしたいという要請もある。
【０００４】
しかし、湾曲したガラス基板等を使用して液晶表示パネルを製造するのは非常に難しい。そこで、フラットなガラス基板を使用してフラットな液晶表示パネルを製造し、その後、液晶表示パネルを湾曲させることが行なわれている。フラットな液晶表示パネルを均一に湾曲させることには工夫を要する。
【０００５】
「特許文献１」には、偏光板が温度および湿度の影響によって吸収軸方向に沿って湾曲する性質を利用して、曲面を有する液晶表示パネルを形成する技術が記載されている。すなわち、偏光板をＴＦＴ基板およびカラーフィルタ基板等から成る液晶セルに接着したあと、特定温度および湿度の恒温槽にある時間放置すると特定曲面の液晶表示パネルが形成される。
【０００６】
「特許文献２」には、フラットな液晶表示パネルを湾曲させる際、凹面側に１軸延伸フィルムを貼り付け、この液晶表示パネルを４０℃から２００℃の雰囲気中に１０分から２４時間放置することによって湾曲させる技術が記載されている。すなわち、１軸延伸フィルムが延伸方向で収縮することを利用して液晶表示パネルを湾曲させるものである。
【先行技術文献】
【特許文献】
【０００７】
【特許文献１】特開平８−２８６１７４号公報
【特許文献２】特開２００６−１０６０７９号公報
【発明の概要】
【発明が解決しようとする課題】
【０００８】
液晶表示パネルは、液晶セルの上側と下側に偏光板を接着して形成される。液晶セルは薄膜トランジスタ（ＴＦＴ）や画素電極が形成されたＴＦＴ基板とカラーフィルタ等が形成されたカラーフィルタ基板との間に液晶が挟持されたものである。曲面を有する液晶表示パネルは液晶セルと偏光板が同時に湾曲されて形成される。
【０００９】
偏光板は一般にＰＶＡフィルムを一方向に延伸し、ヨウ素を浸漬させて形成される。この時、延伸方向にヨウ素分子が並ぶために、その延伸方向が吸収軸となる。したがって、液晶表示パネルにおいて、延伸方向、すなわち、吸収軸方向に垂直な向きに張力が印加され続けると、偏光特性が劣化する。液晶表示パネルには位相差フィルムが使用される場合もあるが、位相差フィルムも上記と同様に一軸延伸して作成するものがある。したがって、偏光板と同様延伸軸方向、すなわち、吸収軸方向に垂直な向きに張力が印加され続けると、光学特性が劣化する。湾曲した液晶表示パネルでは表面の光学フィルムに定常的な応力が印加されるために、光学フィルムの特性が劣化し、コントラスト等の表示特性が劣化する。
【００１０】
「特許文献１」および「特許文献２」に記載の技術は一軸延伸フィルムが特定方向に湾曲しやすい技術を用いて液晶表示パネルを湾曲させるものである。しかしながら、これらの文献には、偏光板等の延伸方向、すなわち、吸収軸方向に垂直な向きに張力が印加され続けると、光学特性が劣化するというような問題点の記載も示唆もない。
【００１１】
本発明の課題は、曲面を有する液晶表示装置あるいは有機ＥＬ表示装置等の薄型表示装置において、偏光板、あるいは、位相差板等の一軸延伸の光学フィルムの光学特性が劣化しない構成を得ることである。一方、有機ＥＬ表示装置において、コントラストを上げるために、有機ＥＬ表示装置の画面に円偏光板を用いることがあるが、この場合の円偏光板等の光学特性の変化を防止することも本発明に課題である。
【課題を解決するための手段】
【００１２】
本発明は以上のような課題を解決するために、画面が一方向に曲率を有する曲面となっている液晶表示装置において、上偏光板の吸収軸の方向を画面の曲率の方向と特別な関係とすることによって、偏光板の光学特性の変化を防止するものである。すなわち、偏光板が張力を受けるように湾曲している場合は、偏光板の吸収軸の方向、すなわち延伸軸方向を画面が湾曲している方向と一致させ、偏光板が圧縮応力を受けるように湾曲している場合は偏光板の吸収軸の方向を画面が直角方向に湾曲している方向と直角な方向に一致させる。有機ＥＬ表示装置の場合は円偏光板を構成する位相差板あるいは偏光板の延伸軸の方向を円偏光板が引っ張り応力あるいは圧縮応力を受ける場合によって上記液晶表示装置の場合と同様に変化させる。具体的な手段は次のとおりである。
【００１３】
（１）画素電極およびＴＦＴが形成されたＴＦＴ基板と、カラーフィルタが形成されたカラーフィルタ基板と、前記カラーフィルタ基板と前記ＴＦＴ基板との間に液晶が挟持され、前記カラーフィルタ基板には第１の偏光板が取り付けられ、前記ＴＦＴ基板には第２の偏光板が取り付けられている液晶表示パネルを有する液晶表示装置であって、前記液晶表示パネルは一方向に曲率を有する外側に凸な画面を有しており、前記第１の偏光板は、前記液晶表示パネルが曲率を持つ方向に吸収軸を有することを特徴とする液晶表示装置。
【００１４】
（２）前記第２の偏光板は前記液晶表示パネルが曲率を有する方向と直角方向に吸収軸を有することを特徴とする（１）に記載の液晶表示装置。
【００１５】
（３）画素電極およびＴＦＴが形成されたＴＦＴ基板と、カラーフィルタが形成されたカラーフィルタ基板と、前記カラーフィルタ基板と前記ＴＦＴ基板との間に液晶が挟持され、前記カラーフィルタ基板には第１の偏光板が取り付けられ、前記ＴＦＴ基板には第２の偏光板が取り付けられている液晶表示パネルを有する液晶表示装置であって、前記液晶表示パネルは一方向に曲率を有する外側に凸な画面を有しており、前記第１の偏光板は、前記液晶表示パネルが曲率を持つ方向に略々吸収軸を有し、前記液晶表示パネルが曲率を持つ方向の軸と前記第１の偏光板の吸収軸とのなす角度は１０度±５度であることを特徴とする液晶表示装置。
【００１６】
（４）前記第２の偏光板の吸収軸と前記液晶表示パネルが曲率を有する方向と直角方向とのなす角度は１０度±５度であること特徴とする（３）に記載の液晶表示装置。
【００１７】
（５）画素電極およびＴＦＴが形成されたＴＦＴ基板と、カラーフィルタが形成されたカラーフィルタ基板と、前記カラーフィルタ基板と前記ＴＦＴ基板との間に液晶が挟持され、前記カラーフィルタ基板には第１の偏光板が取り付けられ、前記ＴＦＴ基板には第２の偏光板が取り付けられている液晶表示パネルを有する液晶表示装置であって、前記液晶表示パネルは一方向に曲率を有する外側凹な画面を有しており、前記第１の偏光板は、前記液晶表示パネルが曲率を持つ方向と直角な方向に吸収軸を有することを特徴とする液晶表示装置。
【００１８】
（６）前記第２の偏光板は前記液晶表示パネルが曲率を有する方向に吸収軸を有することを特徴とする（５）に記載の液晶表示装置。
【００１９】
（７）画素電極およびＴＦＴが形成されたＴＦＴ基板と、カラーフィルタが形成されたカラーフィルタ基板と、前記カラーフィルタ基板と前記ＴＦＴ基板との間に液晶が挟持され、前記カラーフィルタ基板には第１の偏光板が取り付けられ、前記ＴＦＴ基板には第２の偏光板が取り付けられている液晶表示パネルを有する液晶表示装置であって、前記液晶表示パネルは一方向に曲率を有する外側凹な画面を有しており、前記第１の偏光板の吸収軸と、前記液晶表示パネルが曲率を持つ方向と直角な方向とのなす角度は１０度±５度であることを特徴とする液晶表示装置。
【００２０】
（８）前記第２の偏光板の吸収軸と前記液晶表示パネルが曲率を有する方向とのなす角度は１０度±５度であること特徴とする（７）に記載の液晶表示装置。
【００２１】
（９）有機ＥＬ層が形成されたＯＬＥＤ基板と、前記ＯＬＥＤ基板と対向してシール板が形成された有機ＥＬ表示パネルを有する有機ＥＬ表示装置であって、前記有機ＥＬ表示パネルの画面は前記シール板側に形成され、前記有機ＥＬ表示パネルは一方向に曲率を有する外側に凸な曲面となっており、前記シール板側には位相差板と偏光板を含む円偏光板が設置され、前記位相差板または前記偏光板の延伸軸の方向は前記有機ＥＬ表示パネルが曲率を有する方向と一致することを特徴とする有機ＥＬ表示装置。
【００２２】
（１０）有機ＥＬ層が形成されたＯＬＥＤ基板と、前記ＯＬＥＤ基板と対向してシール板が形成された有機ＥＬ表示パネルを有する有機ＥＬ表示装置であって、前記有機ＥＬ表示パネルの画面は前記シール板側に形成され、前記有機ＥＬ表示パネルは一方向に曲率を有する外側に凹な曲面となっており、前記シール板側には位相差板と偏光板を含む円偏光板が設置され、前記位相差板または前記偏光板の延伸軸の方向は前記有機ＥＬ表示パネルが曲率を有する方向と直角方向であることを特徴とする有機ＥＬ表示装置。
【００２３】
（１１）有機ＥＬ層が形成されたＯＬＥＤ基板と、前記ＯＬＥＤ基板と対向してシール板が形成された有機ＥＬ表示パネルを有する有機ＥＬ表示装置であって、前記有機ＥＬ表示パネルの画面は前記ＯＬＥＤ基板側に形成され、前記有機ＥＬ表示パネルは一方向に曲率を有する外側に凸な曲面となっており、前記ＯＬＥＤ基板側には位相差板と偏光板を含む円偏光板が設置され、前記位相差板または前記偏光板の延伸軸の方向は前記有機ＥＬ表示パネルが曲率を有する方向と一致することを特徴とする有機ＥＬ表示装置。
【００２４】
（１２）有機ＥＬ層が形成されたＯＬＥＤ基板と、前記ＯＬＥＤ基板と対向してシール板が形成された有機ＥＬ表示パネルを有する有機ＥＬ表示装置であって、前記有機ＥＬ表示パネルの画面は前記ＯＬＥＤ基板側に形成され、前記有機ＥＬ表示パネルは一方向に曲率を有する外側に凹な曲面となっており、前記ＯＬＥＤ基板側には位相差板と偏光板を含む円偏光板が設置され、前記位相差板または前記偏光板の延伸軸の方向は前記有機ＥＬ表示パネルが曲率を有する方向と直角方向であることを特徴とする有機ＥＬ表示装置。
【発明の効果】
【００２５】
本発明によれば、画面が一方向に曲率を有する外側に凸である曲面である液晶表示装置において、カラーフィルタ基板上に貼り付けられる上偏光板の吸収軸、すなわち延伸軸の方向を画面が湾曲している方向と一致させるので、偏光板の偏光特性が変化することを防止することが出来る。また、ＴＦＴ基板の下側に貼り付けられる下偏光板の吸収軸、すなわち延伸軸の方向を画面が湾曲している方向と直角方向に一致させるので、下偏光板の偏光特性の変化を防止することが出来る。
【００２６】
画面が一方向に曲率を有する外側に凹である曲面である液晶表示装置においても偏光板の吸収軸、すなわち、延伸軸の方向を、偏光板が引っ張り応力を受けるか、圧縮応力をうけるかによって変化させるので、偏光板の偏光特性の変化を防止することが出来る。したがって、長期間、コントラスト等、画質の変化しない信頼性の高い液晶表示装置を得ることが出来る。
【００２７】
有機ＥＬ表示装置において、コントラスを上げるために円偏光板を用いる場合も、円偏光板を構成する位相差板あるいは偏光板の延伸軸の方向を、円偏光板が引っ張り応力をうけるか圧縮応力を受けるかによって変化させるので、長期間、画像のコントラスが変化しない有機ＥＬ表示装置を得ることが出来る。
【図面の簡単な説明】
【００２８】
【図１】本発明の液晶表示パネルを表から見た斜視図。
【図２】偏光板の構成図。
【図３】本発明の液晶表示パネルを裏から見た斜視図。
【図４】本発明の上偏光板の斜視図。
【図５】本発明の下偏光板の斜視図。
【図６】実施例１の液晶表示装置の斜視図。
【図７】ガラスの厚さと曲率の関係を示すグラフである。
【図８】実施例１の液晶表示装置の分解断面図である。
【図９】液晶表示パネルの視野角特性の例である。
【図１０】携帯電話の外観斜視図である。
【図１１】携帯電話用液晶表示装置の分解斜視図である。
【図１２】凹状の画面を有する液晶表示パネルの表側斜視図である。
【図１３】凹状の画面を有する液晶表示パネルの裏側斜視図である。
【図１４】凹状の画面を視認する場合の模式図である。
【図１５】スロットマシーン遊技機の正面図である。
【図１６】スロットマシーン遊技機の部分断面模式図である。
【図１７】スロットマシーン遊技機に本発明を使用した例である。
【図１８】トップエミッション型有機ＥＬ表示装置に本発明を使用した例である。
【図１９】ボトムエミッション型有機ＥＬ表示装置に本発明を使用した例である。
【発明を実施するための形態】
【００２９】
図１は本発明の液晶表示装置を表側から見た外観斜視図であり、図１において、ＴＦＴや画素が形成されたＴＦＴ基板１０１とカラーフィルタ基板１０２の間には図示しない液晶が挟持されている。ＴＦＴ基板１０１には、回路を駆動するためのドライバチップを取り付けたり、外部から映像信号、電源等を供給するフレキシブル配線基板を取り付けたりするためのスペースが必要なので、カラーフィルタ基板１０２よりも大きく作られている。カラーフィルタ基板１０２の上には上偏光板１０３が、ＴＦＴ基板１０１の下には下偏光板１０４が接着されている。
【００３０】
図１の液晶表示パネル１０は一方向に曲率をもって湾曲している。図１では省略されているが、液晶表示パネル１０は、曲率を持ったフレーム１１、あるいは、曲率を持った面カバーに沿わせることによって曲率が形成される。すなわち、後で説明するように、ＴＦＴ基板１０１あるいはカラーフィルタ基板１０２は容易に湾曲するように、研磨によって薄くなっている。
【００３１】
図１の上偏光板１０３はカラーフィルタ基板１０２に沿って湾曲している。図１の上偏光板１０３の矢印Ａで示す方向が延伸軸方向である。図１において、上偏光板１０３の延伸軸方向、すなわち、吸収軸方向が湾曲方向となっている。図２は偏光板の構造である。偏光板は、一定方向に振動する光のみを通す偏光子１０３１を、ＴＡＣと呼ばれるトリアセチルセルロースによってサンドイッチしたものである。偏光子１０３１は一般にＰＶＡフィルムを一方向に延伸し、ヨウ素を浸漬させて作られる。このとき、延伸方向にヨウ素が並ぶために、延伸方向が吸収軸となる。
【００３２】
偏光子１０３１は機械的に弱いため、ＴＡＣフィルム１０３２（トリアセチルセルロースフィルム）によってサンドイッチされ、偏光板の強度を確保している。偏光板はカラーフィルタ基板１０２に接着して使用されるために、一方のＴＡＣフィルム１０３２には粘着材が設置されている。この粘着材によって偏光板がカラー基板に強く接着される。図３において、偏光板がカラーフィルタ基板１０２に接着されるまでは、粘着層１０３３は離型フィルム１０３４によって保護されている。また、粘着材が設置されていないＴＡＣフィルム１０３２は、偏光板が液晶表示パネル１０に接着されるまで、保護フィルム１０３５によって保護されている。
【００３３】
偏光板は以上のような構造であるために、偏光板の吸収軸方向、すなわち、延伸軸方向と直角な方向に張力が印加され続けるとヨウ素分子の配列に乱れが生じ、コントラス等の劣化を生ずる。しかし、本発明においては、偏光板の、つまり、偏光子１０３１の延伸軸方向、すなわち、吸収軸方向に張力が印加されるため、偏光板の光学特性の劣化が無い。
【００３４】
図３は図１に示した液晶表示パネル１０を裏から見た図である。液晶表示パネル１０の構成は図１で説明したと同様である。図３において、下偏光板１０４がＴＦＴ基板１０１に取り付けられている。下偏光板１０４の構成は図２で説明したと同様である。図３において、下偏光板１０４はＴＦＴ基板１０１に強く接着しているために、液晶表示パネル１０が湾曲した状態では下偏光板１０４に圧縮応力がかかることになる。そうすると、図３における下偏光板１０４は延伸軸方向を湾曲方向と一致させる必要はなく、むしろ延伸軸方向を液晶表示パネル１０が湾曲していない方向としたほうが良い。したがって、図３における矢印Ａで示す下偏光板１０４の延伸軸方向、すなわち、吸収軸方向は、液晶表示パネル１０の湾曲方向と直角な方向となっている。
【００３５】
上偏光板１０３と下偏光板１０４の吸収軸を直角にするか並行にするかは、表示モードがノーマリブラックかノーマリホワイトかによって異なってくる、あるいは、液晶の駆動方法、すなわち、ＴＮか、ＩＰＳ（Ｉｎ  Ｐｌａｎｅ  Ａｗｉｔｃｈｉｎｇ）か、ＶＡ（Ｖｅｒｔｉｃａｌ  Ａｌｉｇｎｍｅｎｔ）か等によっても異なってくる。一方、曲面を有する液晶表示パネル１０においては、張力による偏光板の特性への影響は上偏光板１０３のほうが大きい。したがって、表示方式によって、必要な場合は、上偏光板１０３の吸収軸を液晶表示パネル１０の湾曲方向と一致させるだけでも効果を上げることが出来る。
【００３６】
偏光板は粘着層１０３３を介してカラーフィルタ基板１０２あるいはＴＦＴ基板１０１に貼り付けられるが、製造誤差によって偏光板の吸収軸を液晶表示パネル１０の湾曲方向の軸あるいはそれと直角な方向の軸（液晶表示パネル１０の軸という）と完全には合わせられない場合がある。このような場合はでも偏光板の吸収軸と液晶表示パネル１０の軸とは５度以内で一致していれば効果を上げることが出来る。
【００３７】
一方、液晶表示パネル１０の画面の軸と偏光板の軸を積極的にずらせたい場合がある。例えば、人間が偏光特性を持ったサングラスを使用して液晶表示パネル１０を視認する場合、サングラスの吸収軸と液晶表示パネル１０の上偏光板１０３の吸収軸とが直角になったりすると、不自然な画面となる。人間は液晶表示パネル１０の画面を水平方向に見ることが多い。したがって、上偏光板１０３の吸収軸を液晶表示パネル１０に軸とは、ずらせたほうが良い場合もある。
【００３８】
図４はその例である。図４において、上偏光板１０３の吸収軸の方向と、上偏光板１０３の湾曲方向との角度θは１０度である。この場合も製造バラつきを考慮してθの値は１０度±５度としても所定も効果を上げることは出来る。図５は下偏光板１０４の湾曲方向と下偏光板１０４の吸収軸の関係である。図５において、下偏光板１０４の湾曲方向と直角な方向Ｃと下偏光板１０４の吸収軸Ａの方向の角度θは１０度である。この場合も製造バラつきを考慮してθの値は１０度±５度としても所定も効果を上げることは出来る。
【００３９】
以下の実施例で、本発明を具体的な表示装置に適用する場合を説明する。
【実施例１】
【００４０】
図６は実施例１の表示装置の外観図である。図６は画面が外側に凸なディスプレイである。このような表示装置は駅の円柱に設置されるディスプレイ、あるいは、アミューズメント用途、例えば、スロットマシン遊戯機等で使用されるディスプレイ等である。図６において、液晶表示パネル１０は外側に湾曲している。外側に湾曲した液晶表示パネル１０は、図１あるいは図３で示したと同様な構成である。すなわ、ガラス基板を薄くすることによって液晶表示パネル１０を曲げやすくし、曲面を持ったフレーム１１に収容することによって画面が曲面を有する液晶表示パネル１０を形成する。なお、図６では省略しているが、液晶表示パネル１０の上は透明な面カバー８によって覆われている。すなわち、面カバー８がフレーム１１と液晶表示パネル１０との間に設置されている。
【００４１】
図６において、液晶表示パネル１０は湾曲したフレーム１１によって表示部を残して覆われている。液晶表示パネル１０の背面にはバックライト２０が設置されている。このバックライト２０は後で説明するように種々の光学部品と光源とから構成されている。
【００４２】
画面が湾曲した液晶表示パネル１０をガラス基板を用いて形成することが出来れば、従来の液晶製造技術を利用でき、コスト的に、また、信頼性的に非常に有利である。ガラスをどの程度湾曲することができるかはガラスの板厚との兼ね合いで決まる。
【００４３】
図７（ａ）は液晶表示パネル１０の板厚とガラスを破壊せずに湾曲することが出来る範囲を示す図である。図７（ｂ）は図７（ａ）のパラメータを示す図である。図７（ｂ）に示すように、液晶表示パネル１０はＴＦＴや画素電極が形成されたＴＦＴ基板１０１と、カラーフィルタ等が形成されたカラーフィルタ基板１０２を有し、ＴＦＴ基板１０１とカラーフィルタ基板１０２の間に液晶層１１４が挟持されている。そして液晶層１１４はシール材１１３によってシールされている。
【００４４】
液晶表示パネル１０を構成するガラス基板は例えば、０．７ｍｍ、あるいは０．５ｍｍというように規格化されている。したがって、より曲率をつけるためにガラス基板を薄くする場合は、液晶表示パネル１０を形成後、ガラス基板の外側を研磨して薄くする。研磨は機械研磨と化学研磨が併用される。この場合、ＴＦＴ基板１０１とカラーフィルタ基板１０２の両方を研磨する。液晶層１１４は数μｍであり、液晶表示パネル１０全体の厚さｔを考えれば無視することが出来る。
【００４５】
図７（ａ）において、縦軸は液晶表示パネル１０の曲率半径である。この曲率半径の定義は図７（ｂ）に示すように、液晶表示パネル１０内側の曲率半径である。図７（ａ）における横軸のガラス厚さとは液晶表示パネル１０全体の厚さｔを表す。すなわち、図７（ａ）において横軸が０．２ｍｍのときはＴＦＴ基板１０１またはカラーフィルタ基板１０２の厚さは０．１ｍｍである。
【００４６】
図７（ａ）における直線Ｇはガラスの破壊限界線を示す。すなわち、直線Ｇよりも下であると、ガラス基板が破壊し、この直線Ｇより上であればガラス基板が破壊することは無い。曲率半径をＲとし、液晶表示パネル１０の厚さをｔとしたとき、直線ＧはＲ＝４００ｔの関係になる。すなわち、曲率半径Ｒが厚さの４００倍以下になるとガラス基板が破壊することになる。しかしながら、ガラスにキズ等が存在すれば、直線Ｇよりわずかに上側でもガラスは破壊する。したがって、実際の製品では直線Ｇの２倍の裕度を持たせ、Ｒ＝８００ｔの直線上あるいはそれよりも上側の領域を使用することが望ましい。本実施例による製品では、ガラス基板と曲率の関係では、図７（ａ）に示すように、直線Ｇよりも上側に余裕をもって設定される。
【００４７】
図８は図６のＡ−Ａ断面分解図である。図８において、フレーム１１の額縁部には所定の曲率が形成されている。このフレーム１１の額縁部の曲率によって液晶表示パネル１０の表示部に所定の曲率を持たせる。フレーム１１の下には透明な面カバー８が設置される。面カバー８にも所定の曲率が形成されており、この面カバー８に液晶表示パネル１０を沿わせることによって液晶表示パネル１０に所定の曲率を持たせる。また、面カバーは液晶表示パネル１０を保護する役割も有する。
【００４８】
面カバー８の下には液晶表示パネル１０が設置される。液晶表示パネル１０の構成は図１等で説明したと同様である。液晶表示パネル１０は所定の曲面が形成出来る程度の薄さまでにガラス基板が研磨されている。すなわち、液晶表示パネル１０製作時点では液晶表示パネル１０は平面であるが、液晶表示パネル１０をフレーム１１内に設置するさい、液晶表示パネル１０に曲面が形成されて所定の曲面を持った画面が設定される。ＴＦＴ基板１０１とカラーフィルタ基板１０２の合計の板厚と曲率半径の関係は図２に示す直線Ｇよりも上側にある必要があることはいうまでも無い。
【００４９】
液晶表示パネル１０の下側にはバックライト２０が設置されている。バックライト２０は種々の光学シート、導光板２０８、ＬＥＤ９等で形成されている。本実施例では光源としてＬＥＤ９が使用されている。ＬＥＤ９は導光板２０８のサイドに設置されている。サイドに設置することによって液晶表示装置の厚さを小さくすることが出来る。導光板２０８はサイドからのＬＥＤ９の光を液晶表示パネル１０側に向ける役割を持つ。なお、図８では光源がサイドに設置されているが、表示装置によっては、光源が光学部品の下部に設置されることがある。この場合は、導光板の代わりに光を拡散する拡散板が使用される。
【００５０】
導光板２０８の上面には凹部２０８１が形成されており、この凹部２０８１に光学シートを載置することによって光学シートの位置を固定する。導光板２０８の上面に形成された凹部２０８１は、液晶表示装置の画面の曲面と同一の曲面が形成されている。この導光板２０８を光学シートを介して液晶表示パネル１０に押し付けることによって、フレーム１１の曲面と相俟って液晶表示パネル１０の画面に所定の曲面が形成される。本実施例における導光板２０８は厚さ２ｍｍの板状であるが、導光板２０８は均一な板厚である必要はない。例えば、導光板２０８の上面は表示装置の画面の曲面と同一曲面として、下面は平面としてもよい。導光板２０８はポリカーボネート等で形成され、ある程度の剛性をもっている。
【００５１】
ＬＥＤ９からの光のうち、液晶表示パネル１０と反対側に向かう光は反射シート２０６で反射されて液晶表示パネル１０側に向かう。導光板２０８を出た光は下拡散シート２０４を透過する。下拡散シート２０４は導光板２０８から出た光を均一にする役割を持つ。
【００５２】
下拡散シート２０４の上には下プリズムシート２０３が設置される。下プリズムシート２０３には一定ピッチで例えば、画面横方向に延在するプリズムが多数形成されており、バックライト２０から画面の縦方向に広がろうとする光を液晶表示パネル１０の画面鉛直方向に集束する。すなわち、プリズムシートを使用することによって正面輝度を上げることが出来る。下プリズムシート２０３の上には上プリズムシート２０２が設置される。上プリズムシート２０２には一定ピッチで下プリズムシート２０３とは直角方向、例えば、画面縦方向に延在するプリズムが多数形成されている。これによって、バックライト２０から、画面横方向に広がろうとする光を液晶表示パネル１０の面と鉛直方向に集束する。このように、下プリズムシート２０３と上プリズムシート２０２を用いることによって画面の縦、横方向に広がろうとする光を画面の鉛直方向に集束することが出来る。
【００５３】
上プリズムシート２０２の上には上拡散シート２０１が設置されている。プリズムシートには一定方向に延在するプリズムが例えば、５０μｍピッチで形成されている。すなわち、５０μｍのピッチによって明暗の縞が形成されることになる。一方液晶表示パネル１０には、一定ピッチで走査線が画面横方向に、あるいはデータ信号線が画面縦方向に形成されている。したがって、走査線ピッチあるいはデータ信号線のピッチによって明暗の縞が形成される。そうするとプリズムの明暗の縞と液晶表示パネル１０の明暗の縞とが干渉を起こし、モアレを発生する。上拡散シート２０１は拡散作用によってこのモアレを軽減する役割を有する。
【００５４】
本実施例のように、外側に凸な画面を有する液晶表示装置において、上偏光板１０３の吸収軸を図１のように、画面の湾曲方向と一致させているので、長期間の使用においても偏光板の変更特性が変化せず、良好な画質を維持することが出来る。また、下偏光板１０４の吸収軸を画面の湾曲方向と直角方向に設定することによってこの効果をさらに上げることが出来る。
【実施例２】
【００５５】
実施例１は液晶表示装置の画面が外側に凸の場合である。本発明は画面が凹である液晶表示装置の場合にも適用することが出来る。図９は液晶表示パネル１０の視野角特性である。液晶表示パネル１０の画質の問題点の一つは、画面を見る角度によって、輝度、色度等が変化することである。図９は通常のＴＮ方式の液晶表示装置における視野角特性である。図９において、縦軸は輝度を表す。画面鉛直方向から見た場合の輝度を１００％としている。図９の横軸は画面を見る角度である。すなわち、鉛直方向から画面を見た場合を０度とし、鉛直方向からずれる角度を横軸に取っている。図９に示すように、液晶画面を垂直方向から３０度ずらしてみると輝度は４０％近くにまで減少してしまうことになる。また、輝度の減少は各色毎に異なるために、視野角によって色が変化してしまうという問題も生ずる。
【００５６】
この視野角特性は液晶表示装置の方式によって異なる。例えば、液晶分子をＴＦＴ基板１０１と平行方向に回転させることによって光の透過を制御するＩＰＳ（Ｉｎ  Ｐｌａｎｅ  Ｓｗｉｔｃｈｉｎｇ）方式の液晶は通常のＴＮ方式の液晶に比して優れた視野角特性を示す。いずれにせよ、画面が平面あるいは画面が外側に凸の場合は液晶表示パネル１０の視野角特性を向上させて対処する必要がある。
【００５７】
図１０は本発明による画面の曲面が外側に凹である液晶表示装置を携帯電話６０に使用した例である。携帯電話６０のような小型のディスプレイであっても、画面に特定の曲率を設けることによって視認性がよくなる。一方、画面が小さいために、画面に曲率を設けても、ディスプレイの厚さに対する影響はわずかである。
【００５８】
図１１は図１０に使用される液晶表示装置の分解斜視図である。図１０において、透明面カバー８はサイドフレーム６４にセットされる。面カバー８がサイドフレーム６４の溝にセットされると面カバー８に特定の曲面が形成される。なお、面カバー８に予め曲率を形成しておいてもよい。面カバー８は透明なプラスチックで形成されているので、曲面を形成することは容易である。
【００５９】
透明面カバー８の下には液晶表示パネル１０が設置される。図１１で使用される液晶表示パネル１０の外観図を図１２および図１３に示す。図１２は液晶表示パネル１０を表側から見た図であり、図１３は液晶表示パネル１０を裏側からみた図である。図１２および図１３に示す液晶表示パネル１０の構成は図１および図３に示す液晶表示パネル１０の構成と同様であるが、曲率の方向が逆である。
【００６０】
すなわち、本実施例においては、上偏光板１０３は圧縮応力を受ける構成であるから、上偏光板１０３の吸収軸Ａは液晶表示パネル１０の湾曲方向とは直角方向となっている。一方、下偏光板１０４は引っ張り応力を受けているので、偏光板の吸収軸Ａは液晶表示パネル１０の湾曲方向と同じ方向となっている。なお、液晶表示パネル１０の湾曲方向と偏光板の吸収軸との角度の誤差は±５度以内であれば効果を上げることが出来ることは図４および図５で説明したと同様である。また、表示装置の使われ方によって、液晶表示パネル１０の湾曲方向と偏光板の吸収軸との角度を１０±５度程度形成しても効果を上げることも図４および図５で説明したと同様である。
【００６１】
ＴＦＴ基板１０１とカラーフィルタ基板１０２と液晶層１１４とで形成される液晶セルは湾曲可能とするために、ＴＦＴ基板１０１とカラーフィルタ基板１０２を研磨して薄くすることは実施例１と同様である。液晶セルに上偏光板１０３および下偏光板１０４を接着して液晶表示パネル１０が形成されるが、このようにして形成された液晶表示パネル１０は薄く剛性が小さいために、容易に面カバー８の曲率に沿って曲面が形成される。
【００６２】
図１１に戻り、液晶表示パネル１０のＴＦＴ基板１０１はカラーフィルタ基板１０２よりも大きく作られている。ＴＦＴ基板１０１上にはドライバチップ６１が設置され、また、液晶表示パネル１０に外部から電源、信号等を供給するためのフレキシブル配線基板６２が接続される。
【００６３】
液晶表示パネル１０の下側周辺には遮光テープ６５が設置される。バックライト２０からの光が液晶表示パネル１０周辺に漏れてコントラストを低下させることを防止するためである。遮光テープ６５の下側には光学シート類２００が設置される。図１１においては、光学シート類２００は１枚のように省略して描かれているが、実際は図８に示したと同様、上拡散シート２０１、上プリズムシート２０２、下プリズムシート２０３、下拡散シート２０４等が設置される。各シートの役割は実施例１で説明したとおりである。但し、図１１における光学シートの曲げ方向は図８とは逆である。
【００６４】
光学シート類２００の下には導光板２０８が設置されている。導光板２０８の上面は液晶表示パネル１０の画面と同じ曲面が形成されている。導光板２０８の上面の曲面に光学シート類が沿って設置されるために、光学シート類も液晶表示パネル１０の画面と同じ曲面となる。導光板２０８の側面にはＬＥＤ９を搭載したＬＥＤ用フレキシブル配線基板９１が設置される。図１１においては、導光板２０８の短辺側からＬＥＤ９からの光が供給される。ＬＥＤ９フレキシブル配線基板９１の下にはＬＥＤ９からの光が漏れることを防止するための光源用遮光テープ６６が設置される。
【００６５】
これらの光学部材は樹脂で形成されたモールド６３に収容される。モールド６３の下側には反射シート２０６が設置される。反射シート２０６は液晶表示パネル１０と反対側に向かうＬＥＤ９からの光を反射して液晶表示パネル１０側に向ける役割をもつ。これらの液晶表示パネル１０、バックライト２０等は金属で形成された裏カバー１３によって保持される。
【００６６】
本実施例における液晶表示パネル１０の画面の曲面はシリンドリカルであれば容易に形成することが出来る。この場合の曲率を持つ方向は画面の長軸方向である。本実施例における画面の大きさは対角で２．７５インチ、長軸方向の曲面の曲率半径は例えば、１８５ｍｍ程度である。曲率はわずかではあるが、視認性に対する影響は非常に大きい。一方、曲率をつけても画面が小さいために液晶表示装置の厚さへの影響はわずかである。
【００６７】
本実施例でのＴＦＴ基板１０１およびカラーフィルタ基板１０２の厚さは０．１５ｍｍであり、液晶セルの厚さとしては０．３ｍｍである。図７（ａ）のグラフに示すように、液晶セルの厚さが０．３ｍｍであれば、曲率半径１８５ｍｍは余裕をもって形成することが出来る。画面に曲率をつけても、本実施例における液晶表示装置の厚さ、すなわち、液晶表示パネル１０とバックライト２０を合わせた厚さは１２ｍｍ程度に抑えることが出来る。
【００６８】
図１４は携帯電話６０等、手で持つ機器の場合の画面の適正な曲率半径を評価する模式図である。携帯電話６０は手で持って表示画面を見る。目と画面の距離は概ね２０ｃｍから３０ｃｍと考えられる。したがって、ディスプレイの半径を１５ｃｍから４０ｃｍ程度の凹画面とすれば視認性を格段に向上することが出来る。曲率をつける方向は画面の長軸方向でも短軸方向でもよいが、長軸方向に曲率を付けるとより視認性に対する効果が増す。
【００６９】
以上のように、本発明によれば、画面が一方向に曲率を有する外側に凹である曲面を有する液晶表示パネルにおいて、カラーフィルタ基板に貼り付けられる上偏光板の吸収軸方向を液晶表示パネルの湾曲方向と直角方向に一致させるので、上偏光板の偏光特性の変化を抑えることが出来る。また、ＴＦＴ基板に貼り付けられる下偏光板の吸収軸の方向を液晶表示パネルの湾曲方向と一致させるので、下偏光板の偏光特性の変化を防止することが出来る。このように、本発明によれば、長期間コントラストの優れた画像を有する画面の曲面が外側に凹である液晶表示装置を得ることが出来る。
【実施例３】
【００７０】
図１５は本実施例の液晶表示装置をいわゆるスロットマシーン遊技機５０に使用した例である。スロットマシーン遊技機５０の表示画面５１は大型の液晶画面５１で形成されている。液晶画面５１の中央付近３箇所は長方形の孔が形成されている。この長方形の孔部に表面に種々の情報が書き込まれたドラム５２がセットされる。遊戯者は各ボタンを制御しながら、液晶画面５１の情報とともに、回転するドラム５２で遊戯をすることになる。
【００７１】
図１６は従来方式における、図１５に示すスロットマシーン遊技機５０のＡ−Ａ断面において、ドラム５２と液晶表示装置のみを取り出した断面図である。図１６において表示部５１は液晶表示装置で形成され、液晶表示パネル１０とバックライト２０とで構成されている。液晶表示装置の中央部には矩形の孔が形成されており、この部分に種々の情報が書き込まれたドラム５２が設置されている。遊戯中このドラム５２が矢印のように回転する。
【００７２】
しかし、図１６に示すような従来の方法は回転するドラム５２と液晶表示装置とを連動しなくてはならず、機械的な構成が複雑となる。また、スロットマシーン遊技機５０等は遊戯者をあきさせないために、頻繁にモデルチェンジをする必要がある。モデルチェンジのたびにドラム５２の交換含む、スロットマシーン遊技機５０の変更が必要となり、スロットマシーン遊技機等の遊戯場の経営者にとって経済的な負担が大きい。
【００７３】
図１７は本実施例の液晶表示装置をスロットマシーン遊技機５０に適用した例である。図１６に示す従来例と異なるところは、図１７ではドラム５２を用いず、本発明における画面が湾曲した液晶表示装置を用いている点である。図１７においては、湾曲した液晶表示画面にドラムが回転しているような画像を表示させる。これによって遊戯者はドラムが回転しているという錯覚を生じ、図１６に示すように、実際のドラムが回転している場合と同様に遊戯を楽しむことが出来る。
【００７４】
本実施例の有利な点は、モデルチェンジをする場合も、ドラム５２の交換等は必要なく、ソフトの変更だけで済むということである。この点、遊戯場経営者の経済的な負担は大幅に軽減することが出来る。図１７に示すように、スロットマシーン遊技機５０に使用される液晶表示パネル１０は曲率半径が小さい。したがって、液晶表示パネル１０を湾曲させたときの上偏光板１０３および下偏光板１０４の曲率半径も小さくなり、引っ張り応力、圧縮応力もその分大きくなる。
【００７５】
図１７において、上偏光板１０３は大きな引張り応力を受け、下偏光板１０４は大きな圧縮応力を受けている。図１７に使用される液晶表示パネル１０を図１あるいは図３に示すような構成とすることによって、長時間の使用によっても偏光板の光学特性の劣化を防止することが出来る。本発明は図１７に示すような曲率半径の小さい曲面を持つディスプレイに使用すると特に効果が大きい。
【実施例４】
【００７６】
薄型の表示装置としては、液晶表示装置の他に有機ＥＬ表示装置がある。有機ＥＬ表示装置も湾曲して使用することが可能である。また、本発明を湾曲した有機ＥＬ表示装置に適用することが出来る。図１８は本発明を有機ＥＬ表示装置に適用した場合の例を示す断面模式図である。図１８において画面は外側に凸であるが、図１８の曲率を有する方向と直角な方向には曲率は無いものとする。
【００７７】
図１８において、ガラスで形成されたＯＬＥＤ（Ｏｒｇａｎｉｃ  Ｌｉｇｈｔ  Ｅｍｉｔｔｉｎｇ  Ｄｅｖｉｃｅ）基板上に、発光をする有機ＥＬ層７３、および有機ＥＬ層７３を制御するＴＦＴ、信号線、電源線等が形成されている。有機ＥＬ層７３は水分が存在すると特性が劣化する。水分による有機ＥＬ層７３の劣化を防止するために、ＯＬＥＤ基板７２に対向してシール板７５を設置し、シール材１１３によって内部の有機ＥＬ層７３を封止する。なお、シール板７５には乾燥材７４が設置されており、シール内部の水分を除去する。ＯＬＥＤ基板７２およびシール板７５を組み合わせた状態が有機ＥＬ表示パネルである。
【００７８】
シール板７５は樹脂で形成される場合もあるが、樹脂は水分を透しやすいため、内側に金属の薄膜を形成する場合もある。一方、シール板７５をガラスで形成する場合もある。この場合は、ＯＬＥＤ基板７２とシール基板がガラスで形成されることになる。有機ＥＬ表示パネルを湾曲可能とするために、ＯＬＥＤ基板７２とシール基板を研磨して薄くする。この場合、有機ＥＬ表示パネルの強度が弱くなるために、透明な樹脂で形成された補強板７１が取り付けられている。なお、補強板７１を取り付けるか否かはＯＬＥＤ基板７２等の機械的強度による。
【００７９】
シール板７５の上には円偏光板７６が接着によって取り付けられている。円偏光板７６は外部からの反射光を防止するために取り付けられる。円偏光板７６はλ／４位相差板と偏光板とから構成される。すなわち、光が円偏光板７６を２回通ると偏光方向が９０度回転することになる。外部から円偏光板７６をとおり、ＯＬＥＤ基板７２を反射した光が再び外部へ出ようとすると再び円偏光を受けるために、この光は偏光板の吸収軸によって吸収されてしまい、再び外部に出てくることが出来ない。したがって、外光の影響を防止し、コントラストの高い画像を得ることが出来る。
【００８０】
円偏光板７６は位相差板と偏光板によって構成されている。有機ＥＬ表示パネルを湾曲させる場合、偏光板の吸収軸を偏光板が引っ張り応力を受ける方向と一致させることは液晶表示パネル１０の場合と同様である。また、位相差版も偏光板と同様に一軸延伸して作成される。したがって、本実施例において、位相差板の延伸方向を有機ＥＬ表示パネルの湾曲方向と一致させることによって、位相差板の特性の変化を防止することが出来る。
【００８１】
ところで、有機ＥＬ表示装置は有機ＥＬ層７３からの発光がＯＬＥＤ基板７２と反対の方向に向かい、シール板７５側に画像を形成するトップエミッション型と、有機ＥＬ層７３からの発光がＯＬＥＤ基板７２側に向かい、ＯＬＥＤ基板７２側で画像を形成するボトムエミッション型とがある。図１８はトップエミッション型の有機ＥＬ表示装置の例である。
【００８２】
図１８はトップエミッション型で画面が外側に凸の場合である。この場合は円偏光板７６は引っ張り応力を受けるので、円偏光板７６を構成する位相差板および偏光板の延伸軸の方向は有機ＥＬ表示パネルが曲率を持つ方向と一致させている。しかし、トップエミッション型で、画面が外側に凹の場合は、円偏光板７６は圧縮応力を受けるので、円偏光板７６を構成する位相差板および偏光板の延伸軸方向は、有機ＥＬ表示パネルが曲率を持つ方向と直角の方向と一致させる必要がある。
【００８３】
図１９はボトムエミッション型の有機ＥＬ表示装置の場合の有機ＥＬ表示パネルの断面図である。図１９における画面は外側に凸である。そして図１９の画面の曲率を有する方向と直角な方向には曲率は無いものとする。図１９において、ＯＬＥＤ基板７２側に有機ＥＬ層７３からの光が出射されて画像が形成されるので、ＯＬＥＤ基板７２側に円偏光板７６が取り付けられている。
【００８４】
ＯＬＥＤ基板７２に形成された有機ＥＬ層７３はシール板７５によってシール材１１３を介して封止されている。外部からの水分の浸入を防止するためである。シール板７５の内側には乾燥材７４が設置されている。図１９においては、補強板７１は使用されていない。図１９において、円偏光板７６がＴＦＴ基板１０１に取り付けられている。この場合、円偏光板７６は引っ張り応力を受けているので、円偏光板７６を構成する位相差板および偏光板の延伸軸は有機ＥＬ表示パネルの湾曲方向と一致している。
【００８５】
ボトムエミッションの場合で、画面が外側に凹の場合も曲率の向きが反対になるだけで、基本的な構成は図１９と同様である。しかし、この場合は、円偏光板７６は図１９と異なり、圧縮応力を受けることになる。したがって、円偏光板７６を構成する位相差板および偏光板の延伸軸は有機ＥＬ表示パネルの湾曲方向と直角な方向と一致している。
【００８６】
以上の説明においては、円偏光板７６を構成する位相差板と偏光板はいずれも一軸方向に延伸されて形成されているとして説明した。しかし、位相差板は一軸方向に延伸せずに形成される場合もありうる。この場合は偏光板の延伸軸方向を、上記のような例とすればよい。
【００８７】
また、位相差板あるいは偏光板の延伸軸の方向と有機ＥＬ表示パネルが曲率を有する方向とは製造誤差等によってばらつくが、有機ＥＬ表示装置の場合も、±５度以内であれば所定の効果を得ることが出来る。
【００８８】
以上説明したように、本発明を湾曲した有機ＥＬ表示装置に使用することによって、偏光板と位相差板とで構成される円偏光板７６の特性変動を防止することが出来、長期にわたってコントラストの優れた有機ＥＬ表示装置を得ることが出来る。
【符号の説明】
【００８９】
８…面カバー、  ９…ＬＥＤ、  １０…液晶表示パネル、  １１…フレーム、  １３…裏カバー、  ２０…バックライト、  ５０…スロットマシーン遊技機、  ５１…スロットマシーン遊技機の表示部、  ５２…ドラム、  ６０…携帯電話、  ６１…ドライバチップ、  ６２…フレキシブル配線基板、  ６３…モールド、  ６４…サイドフレーム、  ６５…遮光テープ、  ７１…補強板、  ７２…ＯＬＥＤ基板、  ７３…発光部、  ７４…乾燥材、  ７５…シール板、７６…円偏光板、  １０１…ＴＦＴ基板、  １０２…カラーフィルタ基板、  １０３…上偏光板、  １０４…下偏光板、  １１３…シール材、  １１４…液晶層、  ２０１…上拡散シート、  ２０２…上プリズムシート、  ２０３…下プリズムシート、  ２０４…下拡散シート、  ２０６…反射シート、  ２０８…導光板、  １０３１…偏光子、  １０３２…ＴＡＣフィルム、  １０３３…粘着層、  １０３４…離型フィルム、  １０３５…保護フィルム
【図１】
0005426040.tif 000002
【図２】
0005426040.tif 000003
【図３】
0005426040.tif 000004
【図４】
0005426040.tif 000005
【図５】
0005426040.tif 000006
【図６】
0005426040.tif 000007
【図７】
0005426040.tif 000008
【図８】
0005426040.tif 000009
【図９】
0005426040.tif 000010
【図１０】
0005426040.tif 000011
【図１１】
0005426040.tif 000012
【図１２】
0005426040.tif 000013
【図１３】
0005426040.tif 000014
【図１４】
0005426040.tif 000015
【図１５】
0005426040.tif 000016
【図１６】
0005426040.tif 000017
【図１７】
0005426040.tif 000018
【図１８】
0005426040.tif 000019
【図１９】
0005426040.tif 000020